Podtech/llm-jp-corpus-v4-ja_patent huggingface dataset:
(57)【要約】      （修正有）【課題】古い燃焼室に対しては燃焼効率を向上する事により長持ちさせ、新しい燃焼室は良い状態を維持させる、更に買い替え時に移設置ができるボイラー・バーナー・エンジン・その他燃焼機器の燃焼向上及び排気ガス削減装置を提供する。【解決手段】空気の吸入口Ｆに装着したエネルギー変換装置Ｃの表面より銅イオンを発生させ、燃焼室に送られる空気が通過する時に空気を銅イオンと反応させ、電子の作用を利用し、燃料分子と反応させて燃焼の補助を促す事を特徴とする。【選択図】図２
2013024551.tif 000002
【特許請求の範囲】
【請求項１】
本体からエネルギー変換装置に送られる電子の作用を利用し、吸気口に装着した金属プレートＣの表面を吸入された空気が通過する時に空気と銅イオンを反応させ、燃えやすい空気に変換し、燃焼効率を向上させる装置。
【発明の詳細な説明】
【技術分野】
【０００１】この発明はボイラー・バーナー・エンジン・その他燃焼機器の燃焼室に取り入れられる空気を空気中の水素原子に電子作用させ燃焼効率を向上させる燃焼補助装置である。
燃焼室の燃焼効率向上、トルク向上、有害排気ガスの削減を促す。
【背景技術】
【０００２】燃料を永久磁石により変化させる。空気を永久磁石により変化させる。
燃料タンクに金属や鉱石を入れ燃料を変化させる。オイルや燃料に添加剤を入れる。
等々で燃料削減、排気ガスの削減を図っていた。
【発明が解決しようとする課題】
【０００３】上記技術には次のような欠点があった。
（イ）  製造過程が複雑でコストが掛かりすぎる。
（ロ）  価格に見合った効果が得られない。
（ハ）  排気ガス対策に関しても出口処理で全てを行う技術ばかりである。
（ニ）  添加剤等は、入れるのは面倒で入れ忘れも起こりやすい。
本発明はこれらの欠点を除くためになされたものである。
【課題を解決するための手段】
【０００４】（イ）同じ大きさの長方形の銅板１と銅板２のＡ，Ｂ間を、同心円の銅エナメル（絶縁）線で作ったコイルでつなぐ。銅板１ではＡで溶接する。銅板２では長さ方向の中心に溶接Ｂをする。［図１］
（ロ）装置の基本部［図１］を複数、エネルギー変換装置・抵抗＋ヒューズ・電源を直列で繋ぐ。
（ハ）能力を高める方法
（１）銅板の面積を増やす。
（２）エナメル線の径を大きくする。
（３）コイルの径を大きく巻く。
（４）コイルの巻き数を増やす。
（５）エネルギー変換装置の面積を増やす。
【発明を実施するための形態】
【０００５】（イ）空気の吸気口の形状に合わせ、エネルギー変換装置Ｃを設置する。［図２］
（ロ）Ｃは空気の吸気口の外側に設置し、内部に吸入しない設置方法を取る。
（ハ）Ｃは空気の吸気口の形状に合わせ作成する。
（ニ）Ｃは［図２］のような接続方法に限る。
【発明の効果】
【０００６】電源を入れて始動すると。
（イ）燃焼効率が向上する。
（ロ）黒煙が減少する。
（ハ）燃焼室内がクリーンになる。
（ヘ）排気温度が下がる。
（ホ）ボイラーの場合蒸発倍数が向上する事により燃料の削減が出来る。
【実施例】
【０００７】１．ボイラー（ガス仕様  ２ｔ  蒸気ボイラー  食品工場）に設置し、設置前・設置後の蒸発倍数の変化を調査した。設置前０．３４８に対し設置後０．３９９となり、比較すると１４．６５％の蒸発倍数の向上が確認出来た。
２．船舶ディーゼルエンジン（遠洋マグロ延縄漁船・４０９ｔ・主機１０００ｐｓ・補機４８０ｐｓ・Ａ重油使用）の主機・補機に取付けを実施した所、従来よりも約１０％の燃料経費の削減が出来た。
設置前より黒煙の量が減少した。
【産業上の利用可能性】
【０００８】化石燃料などを燃料として使用する全ての燃焼室に対応でき、消費燃料の削減とＮＯｘ・ＣＯ２・ＣＯ・ＨＣ等の健康を害する有害排気ガスの削減を可能にし、主にボイラー・バーナー・エンジン・その他燃焼機器、陸上・海上の輸送手段・漁業の操業等で環境衛生を含む生活環境の改善に寄与することが可能である。
【図面の簡単な説明】
【図１】本発明の基本部である。
【図２】直流通電図である。
【符号の説明】１  銅板（金属）    ２  銅板（金属）（１と同寸）
３  銅エナメル線絶縁コイル
Ａ  １との溶接点          Ｂ  ２との溶接点
Ｃ  エネルギー変換装置    Ｄ  リード線（ハーネス）
Ｅ  蓄電池
Ｆ  空気吸気口  Ｇ  抵抗＋ヒューズ
Ｈ  絶縁・防水・防振ケース
【図１】
2013024551.tif 000003
【図２】
2013024551.tif 000004
(57)【要約】【課題】自然環境であった地球が今温暖化が進んでいることで自然災害起きている事で太陽の光を利用すること。【解決手段】太陽光からエネルギーを利用することによって地球に危険性のない自然環境を守っていく為の新型太陽エネルギー装置。【選択図】図１
2013024231.tif 000002
【特許請求の範囲】
【請求項１】
特殊ガラスを、８角形にすることによって太陽の光を集中し更に強くするために、特殊ガラスを、同じように８角形を、中にもう一枚あること。
【請求項２】
請求項１の更に集めた光を何倍の光エネルギーができるように、特殊レンズを取り付けることで、熱水管が温められて、蒸気管になることで新型太陽エネルギー装置。
【請求項３】
蒸気管から流れてきて、タービンが回転させることによって発電機がプラス、マイナスが出来電気を起こすことで、新型太陽エネルギー装置。
【請求項４】
タービンと回転し蒸気は復水器に流れて、その後普通の水で冷却水管で蒸気を循環させること。
【請求項５】
太陽の光が、一時的に無くても（２）、（３）の中に蓄積されていることで、タービンは回転している、更に電気の光からも取ることができることが新型太陽エネルギー装置。
【発明の詳細な説明】
【技術分野】
【０００１】本発明は、自然からの太陽の光を利用して新しいエネルギーを取り入れることによって、電気を起こすことの製造方法に関する。
【背景技術】
【０００２】従来の水力、火力その他のエネルギーで電気を起こしていた。
【発明の概要】
【発明が解決しようとする課題】
【０００３】従来のエネルギーは、危険性があることのエネルギーの力が少ない。
【課題を解決するための手段】
【０００４】上記の問題を解決するために、本発明は、自然の力を利用して、危険性の無い環境の為に、自然の太陽の光の力を利用することで解決する。
【発明を実施するための形態】
【０００５】本発明は、自然からの力で、エネルギーを発揮させるために、特殊なガラス、特殊なレンズを利用して、エネルギーを集めるために、取り付けたものです。
【０００６】上記、自然の力では、太陽の力を利用することによって環境に危険性がないこと。
【０００７】自然の太陽の光が、一時的になくても、図２の（４）、（１０）の中で作動している事によって熱がタービンを回転させていること。
【０００８】図１、（２）（１３）は、電灯の光でも利用できる事の、新型太陽エネルギー装置の力強さができていること。
【実施例】
【０００９】実施例については、太陽エネルギーから光を活用する利用が少ないことで図１の力で電力を作ること。
【発明の効果】
【００１０】本発明は、以上説明したような形態で実施され、以下記載される効果を示される。
【００１１】図１、（２）でできいることよって、太陽の光を吸収してその次の中は図３があってその何＋倍の光を集中させ、そのエネルギーが倍増の光エネルギーとなって図２の（４）が熱になり、（１０）が蒸気になり、タービンを回転させて発電機を動かして電力ができる、新型太陽エネルギー装置。
【図面の簡単な説明】
【００１２】
【図１】新型太陽エネルギー装置の縦断面図である。
【図２】熱水管の縦断面図である。
【図３】特殊レンズの縦断面図である。
【図４】タービンから発電機の動作の縦断面図である。
【符号説明】
【００１３】１  電気箱
２  特殊ガラス
３  特殊レンズ
４  熱水管
５  灯台
６  プラス電流
７  マイナス電流
８  中柱
９  外柱
１０  蒸気管
１１  タービン
１２  発電機
１３  復水器
１４  冷却水管
【図１】
2013024231.tif 000003
【図２】
2013024231.tif 000004
【図３】
2013024231.tif 000005
【図４】
2013024231.tif 000006
(57)【要約】【課題】  上空と地表の気圧差を利用し、その差を利用して羽を回転させる風力発電機の回転量を増幅するために、円筒形状の筒の途中を絞り込み、羽の高速化を提供する。【解決手段】  円筒形状の筒（１）の一部を絞り込み（２）、絞り込んだ部分に発電機の羽（３）を設けた風力発電機を特徴とする。【選択図】図１
2013024235.tif 000002
【特許請求の範囲】
【請求項１】
円筒形状の筒（１）の途中を絞り、その部分（２）に発電機を回すための羽（３）を設けた風力発電機。
【発明の詳細な説明】
【技術分野】
【０００１】  この発明は、煙突効果を利用し、その上下の圧力差による風圧を利用して発電を行うものである。
【背景技術】
【０００２】  従来、風力発電機には風車を利用したものなどが実用化されているが、気圧差を利用して発電する方式は見当たらない。
【先行技術文献】
【０００３】
【特許文献１】登録実用新案第３０３１９１５号
【特許文献２】特許公開平６−８８５６６号
【発明の概要】
【発明が解決しようとする課題】
【０００４】  従来、風車による発電は、風のない日は発電しないし、装置が大掛かりで、しかも、大きな敷地が必要であった。本発明は建物などに円筒形状の筒を取り付けるだけで、場所を取らず、しかも、上昇気流を利用するため、常に一定の風速が得られることを利用したものである。
しかも、円筒形状の筒の途中を絞ることにより、風圧を強めることができ、発電機を高速に回転することが可能となった。
風速が安定していれば、交流発電機の使用も可能になるため、従来の直流発電機のように、蓄電池が不要となることも可能である。
【課題を解決するための手段】
【０００５】  円筒形状の筒（１）の一部を絞り、その部分（２）に発電機を回すための羽（３）を設ける。
本発明は、以上の構成よりなる煙突効果を利用した発電機である。
【発明の効果】
【０００６】  円筒形状の筒を長くとれば、中を流れる空気は圧力差により増大し風速が大となる。更に、筒の途中を例えばテーパー状に細く絞れば風力はさらに増大される。従って、発電力も増大する。
【図面の簡単な説明】
【０００７】
【図１】本発明の断面図である。
【発明を実施するための形態】
【０００８】  以下、本発明を実施するための形態について説明する。
円筒形状の筒（１）の途中を狭く（２）して（例えば円錐形）その狭まった部分に発電機の羽（３）を設ける。
本発明は、以上のような構造である。
これは建物などの構造物の一部に容易に設置できるので、家庭用などの自家発電に利用できる。
【符号の説明】
【００９】１．    円筒形状の筒
２．    円筒を絞った部分
３．    発電機の羽
【図１】
2013024235.tif 000003
(57)【要約】      （修正有）【課題】自然の降水量に左右されることなく、水を循環させることによって、高い発電効率で発電できる水力循環発電装置を提供する。【解決手段】水源地近くで地中深く掘削し、底に水力発電所１０を設置して水源地と水面下の取水管４０で接続する。取水管は水源地から斜め上方に向かい、水源地と発電所との境を頂点に発電所側に斜め下方に伸び、取水管の前後と中間に水車を設置。水圧と落下する水力で、水が地下の発電所に落下し水車４１〜４３が回転する。地下の発電所に落下した水を揚水するため、縦長の水槽２０を設置し、水槽２０の上部を蓋で覆い密閉する。水槽２０の外部と取水管３０で接続し、取水管３０の前後と中間に水車を設置する。水槽２０が水で蓋上部までいっぱいになったら、取水管３０を通って水が水槽外部に落下。これにより取水管３０に取り付けた水車３１〜３３が回転する。水車４１〜４３と３１〜３３に連結している発電装置が発電する。【選択図】図１
2013024234.tif 000002
【特許請求の範囲】
【請求項１】
海洋の沿岸で、地中深く掘削する。その地下に広場を設け、水力発電所を設置する。海洋の水中と地下広場を取水管で接続する。取水管は水面下に設置する。この取水管は、水中から斜め上方に向かって伸び、水中と隣接する水力発電所との境を頂点に水力発電所側へ斜め下方に向かって伸びている。取水管の前後と中間に水車を設ける。水車には発電装置を連結する。水圧と落下する水力で、自然的かつ継続的に、水が地下の水力発電所に落下し続ける。水圧と落下する水力で、取水管に取り付けた水車が回転する。これによって水車に連結している発電装置が、水車の回転によって発電する水力循環発電装置。
【請求項２】
地下の水力発電所に落下した水を揚水するために、地下広場に縦長の水槽を設ける。水槽上部は蓋で覆い、密閉する。水槽の外部と水槽の内部を取水管で接続する。取水管の前後と中間に水車を設ける。水車には発電装置を連結する。地下広場に落下した水をポンプで水槽に送り込む。水槽が水で蓋上部までいっぱいになったら、水圧と落下する水力で自然的かつ継続的に、取水管を通って水が水槽外部に落下する。落下する水力で水車が回転する。これによって水車に連結している発電装置が、水車の回転によって発電する水力循環発電装置。
【発明の詳細な説明】
【技術分野】
【０００１】本発明は、一定の水量が確保されている海洋近くに設置される水力循環発電装置に関する。
【発明の概要】
【発明が解決しようとする課題】
【０００２】従来の水力発電の場合、発電量は自然の降水量に左右されている。日照り続きなどの自然現象によって降水量が得られない場合、水力発電の源となる水源が確保できない。そのため、常に一定のエネルギーを得ることができないという欠点がある。
【課題を解決するための手段】
【０００３】本発明は、海洋の水を自然に汲み上げ、循環させることによって発電を行う水力循環発電装置である。
海洋沿岸で、地中深く掘削する。その地下に広場を設け、水力発電所を設置する。海洋の水中と、地下広場を取水管で接続する。取水管は水面下に沈んでいなければならない。取水管は、水中から斜め上方に向かって伸び、水源地と隣接する発電所との境を頂点に、発電所側へ斜め下方に向かって伸びている。取水管の前後と中間に水車を設ける。水車には発電装置を連結する。水圧と落下する水力で、取水管を通って、自然的にかつ継続的に水が地下発電所に落下し続ける。水圧と落下する水力で、取水管に取り付けた水車が回転する。水車に連結している発電装置が、水車の回転によって発電する。【０００４】地下発電所に落下した水を揚水するために、地下広場に縦長の水槽を設ける。水槽上部は蓋で覆われている。水槽の外部と水槽の内部を取水管で接続する。取水管の前後と中間に水車を設ける。水車には発電装置を連結する。地下広場の底に落下した水をポンプで水槽に送り込む。水槽が蓋上部まで水でいっぱいになったら、水圧と落下する水力で、取水管を通って、自然的かつ継続的に水が水槽外部に落下する。落下する水力で水車が回転する。それに連結している発電装置が、水車の回転によって発電する。
【発明の効果】
【０００５】従来の水力発電は、降水量など自然現象に左右されるため、継続的に電力を得ることができない。海洋を利用した水力循環発電装置であれば、発電に必要な水量を常に一定に供給できるため、継続的かつ永久的に水力発電が可能である。
【図面の簡単な説明】
【０００６】
【図１】  この発明の一実施形態の水力循環発電装置の縦断面図である。
【発明を実施するための形態】
【０００７】以下、この発明の実施形態について図面に基づいて説明する。図１は海洋の沿岸で地下深く堀削して水力循環発電所１０を設置したものである。水力循環発電所１０には上部が蓋２１で覆われた縦長の水槽２０が設けられている。水槽２０は蓋２１で密閉されている。取水管４０で海洋の水中と、水力循環発電所１０を接続する。取水管４０は水面下に沈んでいる。取水管４０は水中から斜め上方に向かって伸び、水源地の沿岸地下に設けた水力循環発電所１０との境を頂点に発電所側へ斜め下方に向かって伸びている。取水管４０の入り口と、頂点手前、出口にそれぞれ発電装置４１ａ、４２ｂ、４３ｃを連結した水車４１、４２、４３を設置する。
【０００８】水力循環発電所１０に設けられた水槽２０の下部に、電動ポンプ２２を設置する。これが、地下広場に落下した水を水槽に揚水する入り口となる。電動ポンプ２２で揚水した水槽２０の水を循環させるために、取水管３０を設置する。取水管３０は、水槽下部から水槽の外部に伸び、そこから斜め上方に向かって伸びている。取水管３０は、水槽２０のてっぺん手前の高さを頂点に水力発電所の外部を突き抜け、水源地の水面近くまで、斜め下方に向かって伸びている。取水管３０の入り口と、頂点手前、出口にそれぞれ発電装置３１ａ、３２ａ、３３ａを連結した水車３１、３２、３３を設置する。
【実施例１】
【０００９】海洋深層水を汲み上げるために、取水管を深海まで伸ばす。地下発電所と深海を取水管で接続する。水圧と落下する水力で、自然的にかつ継続的に水が地下発電所に落下し続ける。取水管の前後と中間に水車を設ける。水車には発電装置を連結する。水圧と落下する水力で水車が回転し、これに連結している発電装置が回転し、発電する。【００１０】海洋深層水はにごりのないクリーンな真水であるため、深層水を汲み上げる取水管口にゴミが溜まることがなく、取水管、水槽、貯水広場に汚れ、つまりが生じることが少ない。このため、メンテナンスがあまり必要でないため、常に水の循環がスムーズに行われる。
【符号の説明】
【００１１】１０  水力循環発電所
２０  水槽
２１  蓋
２２  電動ポンプ
３０  取水管
３１  水車
３１ａ  発電装置
３２  水車
３２ａ  発電装置
３３  水車
３３ａ  発電装置
４０  取水管
４１  水車
４１ａ  発電装置
４２  水車
４２ａ  発電装置
４３  水車
４３ａ  発電装置
【図１】
2013024234.tif 000003
(57)【要約】【課題】  今までは考えられない原子力発電事故を受けて今までの電力供給が大きく破綻してしまい日本の経済に大きな痛手を背負い、住民の健康被害も食料の被害も此から顕在化してくると思われます、そこでこれからクリーンな電力の供給に少しでも寄与する様に風水力発電を効率良くし何処にでも設置できるよう小型にして、電力を消費する消費者の近くで発電し供給出来る様にしてこの困難に立ち向かう方法を提供する。【解決の手段】  今までは大電力を消費する製造会社もそれ程多くの電気を利用していない一般家庭の生活者も遠く離れた危険と隣り合わせの発電所から供給された電気を利用していますが、今回の原子力発電所の事故で大口の受電者も小口の受電者も現地の生活者も共に電力の利用がじゅうぶんに出来なくなってしまいました、そこで少しでも小口の電力を自家供給する方法として他の発電方法と併せて小型の風水力発電を併用して家庭や、事務所の電気の供給をする事を特徴とした小型風水力発電装置。【選択図】図１
2013024232.tif 000002
【特許請求の範囲】
【請求項１】
風圧でも水圧でも利用出来る小型風水発電装置。
【発明の詳細な説明】
【技術分野】
【０００１】  本発明は、設置場所を選ばずに風圧や、水圧のどちらの圧力も利用して発電を行う事が出来、しかもクリーンな電力に変換出来る風水力発電装置に関する物である。
【背景技術】
【０００２】今までは、深く考えずに過ぎてきた原子力発電システムが持っていた欠点、起こる事がないはずと思っていた放射能漏れがいとも簡単に発生して大規模な被害が起き、その被害が無くなるのに何年もかかる現実に直面して、電力発電の方法を少しでも変えていかなければ成らない事がはっきりしました。
【発明の表示】
【発明が解決しようとする課題】
【０００３】従来の風力発電装置は他の発電システムに取って代わろうとするために、一つの発電装置が大型に設計されていて、多くは電力を消費する場所から遠くはなれた場所に設置されている、しかも、構造が大型のため強力な風力が必要になり、多くの場合常時そのような風力が得られずに効率が悪く、プロペラも大きい為高い位置にあり、台風などの時には風圧でプロペラが破損したり、プロペラが受ける風圧で支えている部分が破損してしまう場合がある。
【０００４】従来の水力発電は、山奥にダムを造り水の落下圧力で発電を行う為行う場所は限定される。
【０００５】従来の電力利用は多くは都市部に集中している為に人口も多く、その近くで発電する事が難しくなり、消費電力も大きくなってきた為、離れた場所に大型の発電所が必要となった。
【０００６】今までは大きな発電所を建設し一般家庭から、電力を大量に消費する生産工場の電力も総て同じ発電所から電気の供給を受けていました、この為に事故による発電所の破壊で総ての電力が逼迫してしまい、一般家庭用も、生産現場の電力も不足になり家庭生活が不便になり、輸出製品の製造も打撃を受けてしまい国の力が弱くなってしまいました。
【０００７】近年環境によい電力として太陽光発電が利用され始めています、今までとは設置する場所が生活する場所と同じところが利用できるため、個人の建物などに設置して利用され実用化を始めています、しかし、今までの使用電力をこれだけでまかなう事は出来ません、又、太陽光が弱い曇りや、夜間等に発電できない欠点があります。
【課題を解決する為の手段】
【０００８】太陽光発電が持つ欠点を補完する為に、今までの大型の風力発電装置ではない設置場所を選ばないほどの小型の風水力発電装置で、この装置は曇りの日でも、真夜中でも発電が可能です、しかし、無風状態では太陽光発電と同じ発電できない欠点が有ります、しかし、一日中無風状態は少ないので発電出来る時間は長いと思われます。
【０００９】本発電装置は小型の為大規模に設置される太陽光発電パネルの下部に設置する事が出来るので設置コストが下がり、土地の利用率も高くなり、蓄電、送電システムが太陽光発電と共用出来全体の発電コストを下げる事が出来る。
【００１０】本発電装置は縦置きでも横置きでも設置できるため為ビル風予防設備場所の風力や、水の流れを利用して発電を行う事が出来る為高速道路の雨水や河川に流す排水、および、高層ビル内使用排水の水、雨水が利用出来るので、今までは厄介な水の流れを利用出来るのでビルなども積極的に雨水を集めて利用する、特に高層ビルの場合上から下まで落下する水はすべて電力に利用出来る。
【００１１】設置方法が簡単なので、特にトンネル内の自動車道路や地下鉄内の風圧は貴重な資源になる。
【００１２】本機は出来るだけ少ない風量からでも初期始動始められる様に微風を感知する装置を具備して本体の初期動作を開始しやすくしている。
【００１３】ファンの回転を出来るだけスムースに回転をさせる為に発電を行うモータを２ヶ取り付け、そのお互のモータシャフトにファンを取り付ける事でファンの軸受けを２ヶのモータで共用するのでブレの少ないスムースなファン回転運動を実現している。
【００１４】この様な形状にする事で設置場所を選ばずに設置出来、しかも、多段にスタックすることで設置形態も多様化させる事が出来、地面、屋根の上は勿論、橋、高速道路、高層の建物の壁面、屋上等への設置で電力を使用する場所のすぐ近くに発電場所が作れ、配電も今までの配電システムが利用出来る効果を発揮する。
【発明の効果】
【００１５】  上述したように本発明は今までは消費電力の少ない一般家庭も、消費電力の大きい工場の電力も同じループの中で全体の消費電力を増やし大量の電力を作り出してコストを低くする事を考えて進んできたこの方法ではひとたび原子力発電のトラブル発生で一般家庭も大口の工場電力も同時に利用出来ない理想とかけ離れた現実を経験して別の選択肢が必要な事がはっきりしてきて、放射能被害も現実に受けたことで、別にクリーンな発電装置を使用する事が必要となりその電力の一部をまかなえる方法を提供出来る。
【発明を実施するための最良の形態】
【００１６】以下、本発明の実施の形態を図１〜図５に基づいて説明する。
【図面の簡単な説明】
【００１７】
【図１】  本発明の横置き使用の図
【図２】  同側面図
【図３】  Ａ−Ａ断面図
【図４】  同縦置き使用の図
【図５】  同横置きで４ヶを使用の図
【符号の説明】
【００１８】１      微風感知器
２      風圧および水圧による回転フィン
３      本体設置止め穴
４      発電モータ
５      モータ軸とファン取り付け部
【図１】
2013024232.tif 000003
【図２】
2013024232.tif 000004
【図３】
2013024232.tif 000005
【図４】
2013024232.tif 000006
【図５】
2013024232.tif 000007
(57)【要約】【課題】  スクリーンに付着堆積した異物を簡単に洗浄することのできるスチームトラップを提供する。【解決手段】  本体３に入口１と弁室９と出口２を形成する。入口１と弁室９の間に中空球形のボール弁体５を回動自在にする。ボール弁体５の内部にフィルタ部４を取り付ける。ボール弁体５のフィルタ部４とほぼ直交する位置に弁室連通路６と入口連通路７をそれぞれ形成する。本体３の下端部にブロー通路８を形成する。  ボール弁体５を図示しないハンドル等で反時計方向へ回転させて、入口連通路７が入口１と連通し、フィルタ部４の下端内周部がブロー通路８と連通することで、フィルタ部４の内周面に溜まった異物を逆洗することができる。【選択図】  図１
2013024261.tif 000002
【特許請求の範囲】
【請求項１】
ケーシングで入口と弁室と出口を形成して、入口と弁室の間に流体中の鉄錆等の異物を越し取るフィルタ部を配置して、弁室へ流入した蒸気と蒸気の凝縮した復水との混合流体の中から復水だけを出口へ排出するものにおいて、フィルタ部を回転可能なボール弁体の内部に配置して、当該ボール弁体を回転操作することによって、フィルタ部の一面側と他面側を交互に入口と連通することができることを特徴とするスチームトラップ。
【発明の詳細な説明】
【技術分野】
【０００１】
本発明は、蒸気配管系で発生する蒸気の凝縮した復水を自動的に外部へ排出するスチームトラップに関する。
【背景技術】
【０００２】
従来のスチームトラップは、例えば特許文献１に開示されている。これは、ケーシングで入口と弁室と出口を形成し、入口から弁室内へ流入する流体の異物を漉し取るスクリーンを配置し、弁室の下部に弁室を出口側に連通する弁孔を有する弁座部材を設け、弁孔を開閉するフロートを弁室内に配置し、弁孔内に外部から手動で進退操作可能な操作部材を配置して操作部材の進退により弁孔の内面に付着した異物を掃除するものである。
【先行技術文献】
【特許文献】
【０００３】
【特許文献１】実公昭４９−３６７４７号公報
【発明の概要】
【発明が解決しようとする課題】
【０００４】
上記従来のスチームトラップは、スクリーンに異物が付着堆積した場合に、スクリーンを確実に洗浄することができない問題点があった。
【０００５】
したがって本発明が解決しようとする課題は、スクリーンに付着堆積した異物を簡単に洗浄することのできるスチームトラップを提供することである。
【課題を解決するための手段】
【０００６】
上記の課題を解決するために、本発明のスチームトラップは、ケーシングで入口と弁室と出口を形成して、入口と弁室の間に流体中の鉄錆等の異物を越し取るフィルタ部を配置して、弁室へ流入した蒸気と蒸気の凝縮した復水との混合流体の中から復水だけを出口へ排出するものにおいて、フィルタ部を回転可能なボール弁体の内部に配置して、当該ボール弁体を回転操作することによって、フィルタ部の一面側と他面側を交互に入口と連通するものである。
【発明の効果】
【０００７】
本発明によれば、ボール弁体を回転操作することによって、スクリーンとしてのフィルタ部の一面側と他面側を交互に入口と連通することで、フィルタ部を逆洗することができ、フィルタ部の内周面に固着した異物を確実に除去することができ、フィルタ部の目詰りを防止することができる。
【図面の簡単な説明】
【０００８】
【図１】本発明の実施の形態に係わるスチームトラップの断面図である。
【発明を実施するための形態】
【０００９】
以下、本発明の実施の形態について、図１を参照して説明する。入口１と出口２と弁室９を設けた本体３、入口１と弁室９の間を区画する円筒状のフィルタ部４、及び、フィルタ部４を収容するボール弁体５とでスチームトラップを構成する。ボール弁体５には、フィルタ部４に対してほぼ垂直に弁室連通路６と入口連通路７をそれぞれ形成する。弁室連通路６は、弁室９の下部に形成した図示しない弁室入口通路と連通し、また、同じく図示しない弁室出口通路を出口２と連通する。
【００１０】
円筒状のフィルタ部４には図示はしないが多数の小径貫通孔をその全周及び全長に渡って設けて、入口１からフィルタ部４の円筒内部空間と弁室連通路６を経て弁室９へ流下する流体中に混入している異物を越し取るものである。従って、フィルタ部４で越し取られた異物は、フィルタ部４の内周面に付着して溜まる。
【００１１】
弁室９の詳細は図示していないが、弁室連通路６から弁室９へ流入する蒸気と復水の混合流体の中から復水だけを出口２側へ流下することができるもので、従来周知のスチームトラップと同様のものである。
【００１２】
本体３の下端部にブロー通路８を形成する。図１に示す状態からボール弁体５を図示しないハンドル等で反時計方向へ回転させて、入口連通路７が入口１と連通し、フィルタ部４の下端内周部がブロー通路８と連通することで、フィルタ部４の内周面に溜まった異物を逆洗することができる。
【００１３】
逆洗が終了すると、ボール弁体５を時計方向へ回転させて、弁室連通路６が弁室入口通路と連通し、フィルタ部４の上端内周部が入口１と連通することで図１に示す状態となり、再度、フィルタ部４の内周面に異物を捕捉するものである。
【産業上の利用可能性】
【００１４】
本発明は、上記のスチームトラップに限らず、ガスに混入した液体を排出するガストラップにも利用することができる。
【符号の説明】
【００１５】
１ 入口
２ 出口
３ 本体
４ フィルタ部
５ ボール弁体
６  弁室連通路
７ 入口連通路
８ ブロー通路
９ 弁室
【図１】
2013024261.tif 000003
(57)【要約】【課題】遮音性能や床衝撃音低減性能の高いコンクリート板を提供する。【解決手段】コンクリートからなる本体と、張力を作用させた状態で前記本体内部に配置した複数本の線材と、からなる遮音コンクリート板。【選択図】図１
2013142219.tif 000002
【特許請求の範囲】
【請求項１】
コンクリートからなる本体と、
張力を作用させた状態で前記本体内部に配置した複数本の線材と、からなる遮音コンクリート板。
【請求項２】
請求項１記載の遮音コンクリート板において、
前記線材は、ピアノ線又はＰＣ鋼より線からなることを特徴とする、
遮音コンクリート板。
【発明の詳細な説明】
【技術分野】
【０００１】
本発明は、遮音コンクリート板に関するものである。
【背景技術】
【０００２】
特許文献１に示すように従来から、遮音性能や床衝撃音低減性能（以下、合わせて「遮音性」とする）の向上を目的としたコンクリート板（遮音コンクリート板）が多数開発されている。
【先行技術文献】
【特許文献】
【０００３】
【特許文献１】特開２００６−２８３４５８号公報。
【発明の概要】
【発明が解決しようとする課題】
【０００４】
前記したような従来の遮音コンクリート板にあっては、コンクリート板の内部に特殊なシートを配置したり、表面に鉄板、鉛板、鉛シート、各種のボード類を配置し、これらの遮音部材を介在させることによって遮音性を向上させる構造である。
しかし、これらの遮音部材は振動を吸収・抑制するものであり、遮音コンクリート板のコンクリート部分が振動し、完全に遮音することはできない。
本発明は、コンクリート板の内部に配置した線材に張力をかけてコンクリート板全体の強度を高めることによって、遮音性を向上させようとするものである。
【課題を解決するための手段】
【０００５】
上記のような課題を解決する本発明の遮音コンクリート板は、コンクリートからなる本体と、張力を作用させた状態で前記本体内部に配置した複数本の線材と、からなるように構成したものである。
また、前記線材は、ピアノ線又はＰＣ鋼より線からなるものである。
【発明の効果】
【０００６】
本発明の遮音コンクリート板は、次のような効果を得ることができる。
（１）内部に張力を加えた線材を配置することによって、高強度のコンクリート板とすることができる。
（２）コンクリート板を高強度にすることにより、コンクリート板の振動数が低振動数領域となり、コンクリート板が振動しても音の発生が少なく、遮音性の高いコンクリート板とすることができる。
【図面の簡単な説明】
【０００７】
【図１】本発明の遮音コンクリート板の実施例１の説明図。
【図２】本発明の遮音コンクリート板の実施例２の説明図。
【発明を実施するための形態】
【０００８】
以下図面を参照にしながら本発明の好適な実施の形態を詳細に説明する。
【実施例１】
【０００９】
＜１＞基本的構成
本発明の遮音コンクリート板１は、本体２と、本体２内部に配置する線材３により構成する（図１）。
本体２はコンクリートで構成する。
遮音コンクリート板１は、両端面の一部の断面をＶ字として、並列する際には、隣り合うＶ字が嵌合する構成（樋布倉矧ぎ）とする。
端面の一部をＶ字とすることにより、Ｖ字の傾斜面に沿って嵌め合うことができる。
また、本体２内には、図示しないが鉄筋等の補強材を配置してもよい。
【００１０】
＜２＞線材
本発明の遮音コンクリート板１の本体２内部に線材３を配置する。
線材３は、張力を加えた状態で本体２内部に配置する。このため、遮音クリート板１には圧縮力が作用する。
線材３の一本当たりの張力は２０ｋＮ以上とする。そして、線材３は、所定の間隔（１００ｍｍ以下）で複数本を配置する。また、線材３は複数層に渡って配置する。
線材３の圧縮力に対抗するため、本体２を構成するコンクリートの強度は５０Ｎ／ｍｍ２とする。
【００１１】
＜３＞効果
遮音コンクリート板１の内部には、張力を加えた線材３を複数本配置するとともに、コンクリート強度を５０Ｎ／ｍｍ２とする。このため、遮音コンクリート板１の表面に振動が作用した際に、３１．５Ｈｚから６３Ｈｚの低振動数領域にて振動する。このため、遮音コンクリート板１からの音の発生が少なくなり、遮音性の高いコンクリート板となる。
【００１２】
＜４＞実験結果
上記のように構成した遮音コンクリート板１に衝撃を加えた場合の実験の結果は以下の通りである。
【００１３】
2013142219.tif 000003
【００１４】
［その他実施例］
上記の遮音コンクリート板１の表面には、ゴム等からなる樹脂シート４を貼り付けることによって、遮音性を向上させることができる（図２）。樹脂シート４内部には空間４１を設ける。
また、外層２内には、図示しないが鉄筋等の補強材を配置してもよい。
【符号の説明】
【００１５】
１    遮音コンクリート板
２    本体
３    線材
４    樹脂シート
４１  空間
【図１】
2013142219.tif 000004
【図２】
2013142219.tif 000005
(57)【要約】【課題】  裁縫したあとに、針の数を数えるのは、和裁をしている者にとって必要条件だった。床に落ちていたり、針刺しの中にもぐっていたりして見付けるのに時間がかかる。せめて針刺しからは簡単に、早く、安全に見付けることができるように考案した。【解決手段】  薄い針刺しなら、必ず針のどこかが目視できる。ならば、それを重ねることによって厚さを整え、両脇を交互に蛇腹に接合することで、使用するときはひとつの固まりになり、針を見付けたいときには、開いて薄くすることで見付けることができる。【選択図】図２
2013142216.tif 000002
【特許請求の範囲】
【請求項１】
薄い針刺し（上の針刺し・中の針刺し・下の針刺し）を数枚つくりそれを重ね、両脇を交互に、蛇腹に縫って重ねた針刺し。
【発明の詳細な説明】
【技術分野】
【０００１】  本発明は、裁縫時に使用しやすいように、薄い針刺しを３枚つくりそれを繋げた針刺しに関するものである。
【背景技術】
【０００２】  従来、針刺しは、形・材質・ふくらみ等の要素で形成していた。
【発明の概要】
【発明が解決しようとする課題】
【０００３】  針刺しの中にもぐりこんだ針は、手探りで押したりして探していたが、それでもまだ中に入っていることが多かった。
本発明は、以上の問題点を解決するために、なされたものである。
【課題を解決するための手段】
【０００４】  薄い針刺し（上の針刺し・中の針刺し・下の針刺し）を３枚つくり、交互に接合させて蛇腹型に縫ってひとつの形にした針刺し。
【発明の効果】
【０００５】  従来、針刺しの中にもぐった針は、時間をかけて、痛い思いをして取っていたが、本発明により、安全に、簡単に、早く、針をとりだすことができる。
【図面の簡単な説明】
【０００６】
【図１】  本発明を横から見た断面図
【図２】  本発明を少し上下に開いた状態を示した説明図
【図３】  本発明の使用状態を示した説明図
【図４】  本発明を完全に広げた上体を示した説明図
【発明を実施するための形態】
【０００７】  以下、本発明の実施の形態を説明する。
（イ）薄い中綿（５）を布（４）でくるんで縫合（７）した針刺し３枚をつくる。
（１）は上の針刺し、（２）は中の針刺し、（３）は下の針刺しである。
（ロ）両脇を交互に接合する。（６）は（１）と（２）・（２）と（３）の接合を意味す      る。
本発明は、以上のような構造である。
本発明を使用するときは、図３の形に針を刺して使用し、針を捜すときに、図４の形  にすることで、針が必ず目視できる状態になる。
【符号の説明】
【０００８】１    上の針刺し
２    中の針刺し
３    下の針刺し
４    布
５    中綿
６    １と２・２と３を接合
７    縫合部
【図１】
2013142216.tif 000003
【図２】
2013142216.tif 000004
【図３】
2013142216.tif 000005
【図４】
2013142216.tif 000006
(57)【要約】【課題】遮音性能や床衝撃音低減性能の高いコンクリート板を提供する。【解決手段】コンクリート板を外層及び内層の二層で構成し、外層はコンクリートで構成し、内層は真空層を有するように構成した、遮音コンクリート板。【選択図】図１
2013142218.tif 000002
【特許請求の範囲】
【請求項１】
コンクリート板を外層及び内層の二層で構成し、
外層はコンクリートで構成し、
内層は真空層を有するように構成した、
遮音コンクリート板。
【請求項２】
請求項１記載の遮音コンクリート板において、
真空層は、樹脂、ゲル又は液体により内部空間を密閉し、内部空間を真空にした、中空部材により構成したことを特徴とする、
遮音コンクリート板。
【請求項３】
請求項１に記載の遮音コンクリート板において、
非加硫ゴムからなる樹脂材を内包するように外層を形成し、
樹脂材が外層のコンクリートと反応することによって外膜を形成するとともに外膜内部に真空層が形成されることを特徴とする、
遮音コンクリート板。
【発明の詳細な説明】
【技術分野】
【０００１】
本発明は、遮音コンクリート板に関するものである。
【背景技術】
【０００２】
特許文献１に示すように従来から、遮音性能や床衝撃音低減性能（以下、合わせて「遮音性」とする）の向上を目的としたコンクリート板（遮音コンクリート板）が多数開発されている。
【先行技術文献】
【特許文献】
【０００３】
【特許文献１】特開２００６−２８３４５８号公報。
【発明の概要】
【発明が解決しようとする課題】
【０００４】
前記したような従来の遮音コンクリート板にあっては、コンクリート板の内部に特殊なシートを配置したり、表面に鉄板、鉛板、鉛シート、各種のボード類を配置し、これらの遮音部材を介在させることによって遮音性を向上させる構造である。
しかし、これらの遮音部材は振動するため、完全に遮音することはできない。
本発明では、コンクリート板の内部に真空層を設けることによって、遮音性を向上させようとするものである。
【課題を解決するための手段】
【０００５】
上記のような課題を解決する本発明の遮音コンクリート板は、外層をコンクリートで構成し、内層は真空層を有するように構成したものである。
また、真空層は、樹脂、ゲル又は液体により内部空間を密封し、内部空間を真空にした、中空部材により構成したものである。
また、非加硫ゴムからなる樹脂材を内包するように外層を形成し、樹脂材が外層のコンクリートと反応することによって外膜を形成するとともに、外膜内部に真空層が形成されるものである。
【発明の効果】
【０００６】
本発明の遮音コンクリート板は、次のような効果を得ることができる。
（１）内部に真空層を設けることにより、真空層によって振動波の伝播が遮断されるため、高性能の遮音性を確保することができる。
（２）中空部材をコンクリート内部に入れるのみであり、容易に構築することができる。
（３）樹脂材とコンクリートの反応により、容易に真空層を構築することができる。
【図面の簡単な説明】
【０００７】
【図１】本発明の遮音コンクリート板の実施例１の説明図。
【図２】本発明の遮音コンクリート板の実施例２の説明図。
【図３】その他実施例にかかる遮音コンクリート板の説明図。
【発明を実施するための形態】
【０００８】
以下図面を参照にしながら本発明の好適な実施の形態を詳細に説明する。
【実施例１】
【０００９】
＜１＞基本的構成
本発明の遮音コンクリート板１は、外層２と内層３の二層構造とする（図１）。
外層２はコンクリートで構成する。
外層２内には、図示しないが鉄筋等の補強材を配置してもよい。
内層３は、外層２の内部に位置する。内層３は真空層３１を有する。
遮音コンクリート板１は、両端面の一部の断面をＶ字として、並列する際には、隣り合うＶ字が嵌合する構成（樋布倉矧ぎ）とする。
端面の一部をＶ字とすることにより、Ｖ字の傾斜面に沿って嵌め合うことができる。
【００１０】
＜２＞内層の構成
本発明の遮音コンクリート板１の内層３は真空層３１を有する。
真空中は振動波が伝播しないため、遮音コンクリート板１の表面に与えられた振動は、真空層３１により反射する。よって、遮音コンクリート板１を通過して他方の表面へ振動が伝播せず、遮音性を向上させることができる。
内層３は、外膜３２によって真空層３１を密閉する中空構造の部材とする。外膜３２を樹脂や、ジェル、液体等で構成することにより、振動波の吸収・減衰が可能となり、遮音コンクリート板１の遮音性が向上する。
また、内層３は内部に真空層３１を有するため、外膜３２が所定の形状を保つように構成する。これにより、内部に内層３を配置するように周囲にコンクリートを打設して外層２を構築することができ、容易に真空層３１を遮音コンクリート板１内に配置できる。
【実施例２】
【００１１】
実施例１においては、真空層３１を有する中空構造の部材を外層２構築時に内部に配置することによって構成したが、外層２構築後に、内部に真空層３１を構築してもよい。
まず、外膜３２を形成する非加硫型ブチルゴムからなる樹脂材３３の周囲に、型枠４内でコンクリート２１を打設し、外層２を構築する（図２ａ）。
そして、コンクリート２１中の金属酸化物と樹脂材３３中の活性基（カルボキシル基）が化学反応する（図２ｂ）ことにより、樹脂材３３が通気性を有さない外膜３２となり、コンクリート２１に接着された状態で形成される。また、この反応により樹脂材３３の体積が減少するため、外膜３２内部に真空層３１が形成される。
そして型枠４を取り外すことにより、遮音コンクリート板１が構築される（図２ｃ）。
遮音コンクリート板１内では、所定の期間、化学反応が進み、外膜３２は安定した状態となる。
【００１２】
［その他実施例］
上記の遮音コンクリート板１の表面には、ゴム等からなる樹脂シート５を貼り付けることによって、遮音性を向上させることができる（図３）。樹脂シート６内部には空間５１を設ける。
【符号の説明】
【００１３】
１    遮音コンクリート板
２    外層
２１  コンクリート
３    内層
３１  真空層
３２  外膜
３３  樹脂材
４    型枠
５    樹脂シート
５１  空間
【図１】
2013142218.tif 000003
【図２】
2013142218.tif 000004
【図３】
2013142218.tif 000005
(57)【要約】【解決手段】本発明は、建築構造物の湿気調節構造において、建築構造物に形成されている空間部Ａ１、Ａ２に、木材を帯状に削った、それ自体、弾力を有している木毛Ｅを収容したものである。【効果】建築構造物の湿気調節構造において、建築構造物に形成されている空間部に、木材を帯状に削った、それ自体、弾力を有している木毛を収容したので、空間部に、木毛を分散させるだけで、空間部へ、湿気調節機能を有する木毛の収容作業を、簡単に、且つ、迅速に行なうことができる。【選択図】図１
2013142225.tif 000002
【特許請求の範囲】
【請求項１】
建築構造物の湿気調節構造において、建築構造物に形成されている空間部に、木材を帯状に削った、それ自体、弾力を有している木毛を収容したことを特徴とする建築構造物の湿気調節構造。
【発明の詳細な説明】
【技術分野】
【０００１】
本発明は、一戸建の家屋やマンション等の建築構造物に配設される建築構造物の湿気調節構造に関するものである。
【背景技術】
【０００２】
従来、一戸建て家屋やマンション等の建築構造物においては、建築構造物を構成する床や壁や天井等の空間部には、断熱材を配設したり、空間部を、そのまま空間状態にするようにした一戸建ての家屋やマンション等の建築構造物が、一例として、特許文献１に開示されている。
【先行技術文献】
【特許文献】
【０００３】
【特許文献１】特開２０１１−９４４３７号公報
【発明の概要】
【発明が解決しようとする課題】
【０００４】
上述した従来の建築構造物おいては、建築構造物を構成する床や壁や天井等の空間部における湿気調節については、考慮されていなかった。
【０００５】
壁材や床材や天井材として、板材や壁紙等の吸湿や放湿が可能な材料（以下、単に、調湿材という。）を使用することが周知であるが、これらの調湿材は、空気が接している表面的な、換言すれば、二次元的な調湿材の機能であって、調湿材が、三次元的に機能するのは、高々、調湿材の表面から、５ｍｍ程度の深さまであり、調湿材の吸湿機能や放湿機能が、迅速に且つ効果的に行われないという問題があった。
【０００６】
本発明の目的は、上述した従来の建築構造物の湿気調節構造が有する課題を解決することにある。
【課題を解決するための手段】
【０００７】
本発明は、上述した目的を達成するために、建築構造物の湿気調節構造において、建築構造物に形成されている空間部に、木材を帯状に削った、それ自体、弾力を有している木毛を収容したものである。
【発明の効果】
【０００８】
建築構造物の湿気調節構造において、建築構造物に形成されている空間部に、木材を帯状に削った、それ自体、弾力を有している木毛を収容したので、空間部に、木毛を分散させるだけで、空間部へ、湿気調節機能を有する木毛の収容作業を、簡単に、且つ、迅速に行なうことができる。
【図面の簡単な説明】
【０００９】
【図１】図１は、本発明の建築構造物の湿気調節構造が適用される、一例としての床基礎部材の垂直断面図である。
【図２】図２は、本発明の建築構造物の湿気調節構造が適用される、一例としての天井部材の垂直断面図である。
【実施例】
【００１０】
以下に、図１を用いて、本発明の一戸建ての家屋やマンション等の建築構造物の湿気調節構造を、一例として、マンション等の床構造Ｆを例に説明する。
【００１１】
１は、スラブ等の床基礎部材であり、床基礎部材１に配置された脚部材２に、床パネル３が載置されるように構成されている。そして、床基礎部材１に配置された脚部材２を介して、床パネル３が配設することにより、床基礎部材１と床パネル３との間には、空間部Ａ１が形成されている。このような床構造Ｆは、周知であるので、詳細な説明は省略する。
【００１２】
本発明においては、上述した床基礎部材１と床パネル３との間に形成された空間部Ａ１に、木材を帯状に削った、所謂、木毛Ｅが収容されている。木毛Ｅは、それ自体、弾力を有しているので、床基礎部材１に配置された脚部材２に床パネル３を載置する前に、床基礎部材１の上面に、木毛Ｅを分散させるだけで、床基礎部材１の上面に分散された木毛Ｅを圧縮したりする等の特別な作業する必要はない。従って、床基礎部材１と床パネル３との間に形成された空間部Ａ１への湿気調節機能を有する木毛Ｅの収容作業を、簡単に、且つ、迅速に行なうことができる。
【００１３】
上述したように、床基礎部材１と床パネル３との間に形成された空間部Ａ１に、湿気調節機能を有するとともに、表面積の大きな木毛Ｅを収容したので、床下や室内の湿気調節を迅速に、且つ、永続的に行うことができる。
【００１４】
次に図２を用いて、本発明の建築構造物の湿気調節構造を、一例として、マンション等の天井構造Ｃについて説明する。
【００１５】
１０は、天井野縁１１に取り付けられた天井板であり、天井野縁１１は、天井吊木１２に取り付けられている。なお、１３は、野縁受けである。このような天井構造Ｃは、周知であるので、詳細な説明は省略する。このように、天井板１０の上部には、空間部Ａ２が形成されている。
【００１６】
上述した天井構造Ｃにおいて、空間部Ａ２を構成する天井板１０の上面に、上述した木毛Ｅを、分散させることにより、天井板１０の上面及び天井野縁１１間に、木毛Ｅを収容する。当然のことながら、天井野縁１１の上面を越えて、木毛Ｅを、分散させることができる。
【００１７】
上述したように、天井板１０の上面及び天井野縁１１間に、木毛Ｅを収容するようにしたので、湿気調節機能を有する木毛Ｅの収容作業を、簡単に、且つ、迅速に行なうことができる。
【００１８】
また、上述したように、天井板１０の上面及び天井野縁１１間に、湿気調節機能を有するとともに、表面積の大きな木毛Ｅを収容したので、天井や室内の湿気調節を迅速に、且つ、永続的に行うことができる。
【００１９】
上述したように、一戸建ての家屋やマンション等の建築構造物の床基礎部材１と床パネル３との間に形成された空間部Ａ１や、天井板１０の上部に形成された空間部Ａ２に、木毛Ｅを収容することにより、一戸建ての家屋やマンション等の建築構造物の湿気調節を迅速に、且つ、永続的に行うことができる。
【００２０】
また、木毛Ｅは、それ自体、弾力を有しているので、木毛Ｅを分散させるだけで、一戸建ての家屋やマンション等の建築構造物の床基礎部材１と床パネル３との間に形成された空間部Ａ１や、天井板１０の上部に形成された空間部Ａ２への湿気調節機能を有する木毛Ｅの収容作業を、簡単に、且つ、迅速に行なうことができる。
【００２１】
なお、上述した実施例に限定されることなく、一戸建ての家屋やマンション等の外壁部材や間仕切り壁等の建築構造物に形成されている空間部に、木毛Ｅを収容することができる。
【符号の説明】
【００２２】
Ａ１、Ａ２・・・・・・・・・・・空間部
Ｃ・・・・・・・・・・・・・・・天井構造
Ｅ・・・・・・・・・・・・・・・木毛
Ｆ・・・・・・・・・・・・・・・天井構造
１・・・・・・・・・・・・・・・床基礎部材
２・・・・・・・・・・・・・・・脚部材
３・・・・・・・・・・・・・・・床パネル
１０・・・・・・・・・・・・・・天井板
１１・・・・・・・・・・・・・・天井野縁
１２・・・・・・・・・・・・・・天井吊木
【図１】
2013142225.tif 000003
【図２】
2013142225.tif 000004